(57)【特許請求の範囲】
【請求項１】
無段階に高さ調節できるマットレス支持体を備えるベビーベットにおいて、前記ベビーベットは、
ａ）実質的に水平のマットレス支持体と、
ｂ）定置されたエンドユニット及びサイドユニットと、
ｃ）複数のドライブユニットであって、前記ドライブユニットは、鉛直方向の力を加えるようになっており、前記ドライブユニットのそれぞれのハウジングは、定置されたベビーベットのエンドユニット又は定置されたベビーベットの脚柱に固定されている、ドライブユニットと、
ｄ）複数の被駆動コンポーネントであって、そのそれぞれが、前記各ドライブユニットによって、鉛直方向に変位可能である、被駆動コンポーネントと、
ｅ）前記複数のドライブユニットに関連付けられ、前記マットレス支持体の床面からの高さを設定し、無段階に調整するための、少なくとも一つのアクチュエータと、
ｆ）前記複数のドライブユニットの不注意な作動によりマットレス支持体が変位することを防止する少なくとも１つのロック装置であって、前記ロック装置は、前記ドライブユニットアクチュエータを解除可能に係合及び係脱するための手段を含む、ロック装置と
を含み、
前記少なくとも一つのアクチュエータを作動させると、前記マットレス支持体を変位させることができ、
前記複数のドライブユニットは隠されており、前記マットレス支持体により支持されたマットレスの上に載せられた乳児を保護するようになっている、ベビーベット。
【請求項２】
前記マットレス支持体は、鉛直方向に変位する間、前記マットレス支持体に結合された少なくとも一つの安定化手段により安定化されており、前記少なくとも一つの安定化手段は隠されている、請求項１に記載されたベビーベット。
【請求項３】
ａ）前記安定化手段は、ベビーベットのエンドユニットに装着され、鉛直方向を向いたリニアベアリングであるか、
ｂ）前記安定化手段は、一つまたは複数の鉛直方向を向いたレール部分を含み、前記レール部分の少なくとも一つはベビーベットのエンドユニットに装着されているか、
ｃ）前記安定化手段は、前記複数のドライブユニットと一体であるか、又は
ｄ）前記安定化手段は、前記ベビーベッドのエンドユニットに装着されたレールの共通のトラックにスライド可能に係合する、鉛直方向に隔置された二つのランナーを含む、請求項２に記載されたベビーベット。
【請求項４】
前記マットレス支持体に結合された前記レール部分は、入れ子式に伸長可能である、請求項３に記載されたベビーベット。
【請求項５】
前記ランナーに結合された第１の取付板が、前記マットレス支持体にも結合されている、請求項３に記載されたベビーベット。
【請求項６】
前記第１の取付板がＬ字形であり、前記第１の取付板が、前記マットレス支持体が装着され結合されている単一のフレーム部材に結合されている、請求項５に記載されたベビーベット。
【請求項７】
前記被駆動コンポーネントは、前記ベビーベッドの二つのエンドユニットにそれぞれ装着された二つのシリンダの、鉛直方向を向いたピストンロッドであり、第２の取付板が前記ピストンロッドと前記フレーム部材に装着されている、請求項６に記載されたベビーベット。
【請求項８】
前記被駆動コンポーネントは、対応するシリンダに対して往復運動する鉛直方向を向いたピストンロッドであり、前記被駆動コンポーネントは、前記マットレス支持体の下側に鉛直方向の力を加えるようになっており、前記シリンダは、前記ベビーベッドのエンドユニットに装着され、二つの前記安定化手段の間に配置されており、前記マットレス支持体の下側から突出するアングル部材の鉛直方向を向いた脚が、対応する安定化手段に結合されている、請求項２に記載されたベビーベット。
【請求項９】
前記少なくとも一つのアクチュエータは、二つのピストンロッドを同時に変位させるように動作可能である、請求項７または請求項８に記載されたベビーベット。
【請求項１０】
前記各ドライブユニットは、ベビーベッドの中空にくり抜かれた対応する脚柱内に固定して装着され、前記脚柱の面に沿って鉛直方向を向いた溝が形成され、前記ドライブユニットを前記溝に挿入可能となっている、請求項１に記載されたベビーベット。
【請求項１１】
前記ドライブユニットは、ピストンハウジング、ピストン、及びクロスバーを含み、前記ピストンは、鉛直方向を向き、前記ピストンハウジングに対して往復運動をするようになっており、前記クロスバーは、水平方向に配置され、前記溝を通して前記ピストンから延在し、前記マットレス支持体に結合されており、
前記アクチュエータは、固定ハンドル及び解除部材を含み、前記ハンドルは、変位の方向を制御するためのものであり、前記ピストンの最上方部分から延在しており、前記解除部材は、前記ピストンから延在し、前記ハンドルと前記クロスバーとの間に配置されており、前記解除部材は、前記ハンドルの方向へ引かれた際に前記ピストンの鉛直方向の変位を開始させるよう操作可能になっている、請求項１０に記載されたベビーベット。
【請求項１２】
前記ドライブユニットは、電動モータ、モータハウジング、スクリュー部材、カラー部材、及び取付部材を含み、前記スクリュー部材は、鉛直方向に配置されており、前記モータと螺合して鉛直方向に変位可能となっており、前記カラー部材は、前記スクリュー部材と螺合しており、前記取付部材は、前記カラー部材から前記マットレス支持体へ延在している、請求項１に記載されたベビーベット。
【請求項１３】
前記各ドライブユニットが、電気、油圧、空気圧、または手動によって動作される、請求項１に記載されたベビーベット。
【発明の詳細な説明】
【技術分野】
【０００１】
本発明は、ベビーベッドの分野に関するものである。とりわけ、本発明は、マットレス支持体の高さを無段階に調節可能にする装置に関するものである。
【背景技術】
【０００２】
多くの高さ調節可能な乳児用マットレス支持体が、先行技術として周知である。一般に入手可能な高さ調節可能なベビーベッドのほとんどは、ベビーベッドのメインフレームの少なくとも一部や、マットレス支持体をメインフレームに装着するためのブラケットなどのコンポーネントを手で分解する必要がある。マットレス支持体を所望の高さに位置決めした後、ブラケット及びメインフレームを、再び組み立てなければならない。
【０００３】
そのようなタイプのベビーベッドは、いくつかの不利な点を有している。
１．乳児の成長に伴いメインフレーム及びマットレス支持体を分解組立する必要があり、組立作業は時間および手間がかかるので、ユーザにとって不便である。
２．乳児のおむつを換えたり、世話をしたり、衣類を着せたりする必要があるとき、世話をする人は、ベッドの上部手摺を超えて体を折り曲げて乳児に近づく必要がある。体を折り曲げる運動を繰り返すことにより、世話をする人は背中が痛くなる。なぜなら、マットレス支持体は設定された高さに位置付けられ、マットレス支持体の高さを変更するのは簡単ではないからである。
３．一般に、従来のベビーベッドのメインフレームは、マットレス支持体を所定の段数の高さ、例えば、３段の異なる高さのうちの一つに設定するように構成されている。多くの世話をする人は、マットレス支持体をさらに多くの異なる高さに設定することを望んでいる。
【０００４】
様々な無段階で高さ調節可能な乳児用マットレス支持体が、周知である。しかしながら、これに関連するマットレス支持体の高さを調節する装置は比較的複雑な機構となっている。
【０００５】
ＵＳ２５９９２９６には、上下するように配置された調節可能なベビーベッドスプリングが開示されている。また、ベッドの各端に設けられた２組のギヤ付きレバーであって、このレバーを共に引っ張り、ベビーベッドスプリングを上昇させる引っ張りばねを備えたギヤ付レバーや、レバーを手動で操作するためのベッドスプリングに設けられたハンドルや、ベビーベッド上のキャッチが開示されている。ベビーベッドの各端のレバーは、ベビーベッドの他端の対応するレバーに、シャフトによって連結されているため、レバーは強制的に一緒に動作されてベビーベッドスプリングが傾くことが防がれている。
【０００６】
ＵＳ４２８５０７９には、二つの箱体内に回転可能に軸承された巻き上げバーに装着されたフレキシブルなホイスト部材によりマットレス支持体が上下させられる装置が開示されている。各ホイスト部材は、箱体を通り抜けて巻き上げレバーに装着されている。各ホイスト部材は、その両端において、マットレス支持体の一部となるスプリングフレームにブラケットを介して固定されている。
【０００７】
ＩＴ１２３８７３３には、手動で移動可能なマットレスフレームを有する小児用ベッドが開示されている。マットレスフレームは、スプリング及びガスピストンシステムを備え、案内用およびカウンターウェイト用のものである。
【０００８】
ＧＢ２４２２３０３には、高さ調節が可能なマットレスベース付きの簡易ベッドが開示されている。脚部材がはさみのように枢動する支持手段が設けられている。スイッチがリニアアクチュエータを制御して、脚部材を押し開いてマットレスを下降させ、脚部材を押し閉じてマットレスを上昇させる。
【先行技術文献】
【特許文献】
【０００９】
【特許文献１】米国特許第２５９９２９６号明細書
【特許文献２】米国特許第４２８５０７９号明細書
【特許文献３】イタリア国特許第１２３８７３３号明細書
【特許文献４】英国特許第２４２２３０３号明細書
【発明の概要】
【発明が解決しようとする課題】
【００１０】
本発明の一つの目的は、乳児用マットレス支持体の高さを無段階で調節する、部品数の少ない簡単な構成の装置を提供することである。
【００１１】
本発明の別の目的は、乳児用マットレス支持体の高さを無段階で調節する、操作容易な装置を提供することである。
【００１２】
本発明の別の目的は、ベビーベッドの支持体の高さを無段階で調節する、占有空間を最小とする装置を提供することである。
【００１３】
本発明のその他の目的および利点は、以下の説明で明らかとなる。
【課題を解決するための手段】
【００１４】
本発明によれば、最下方位置から最上方位置までの間において、いずれの所望の高さに調節することができるマットレス支持体（以下の説明では“無段階に高さ調節可能なマットレス支持体”と称する）が提供される。このマットレス支持体は、少なくとも一つのドライブユニットにより鉛直方向に変位可能であり、ドライブユニットは、単に鉛直方向に変位可能な対応する被駆動コンポーネントに鉛直方向の力を加えるようになっており、マットレス支持体は、鉛直方向に変位する間、マットレス支持体に結合された少なくとも一つの安定化手段により安定化されており、前記被駆動コンポーネントは、前記マットレス支持体と結合されるか、又は前記マットレス支持体を支持する関係となっており、マットレス支持体の床面からの高さは、前記少なくとも一つのドライブユニットに関連する少なくとも一つのアクチュエータによって設定され、無段階に調節可能である。
【００１５】
“マットレス支持体”（以下でこのように称する）は、平板またはマットレススプリングなどの一つの部材であるか、あるいは、マットレスを支持する等間隔に配列された複数のスラット（ｓｌａｔ）などの複数の部材である。本発明の無段階に調節可能なマットレス支持体が、安定した状態で鉛直方向に変位させるための装置とともに、ベビーベッドに設けられると、乳児の世話をする人は、乳児に近づくために従来のベッドで行っていたようなベッドの上部手摺を超えて体を折り曲げて乳児に近づく必要がなくなる。なぜなら、乳児に近づく前に、マットレス支持体を最上方位置へ容易に変位できるからである。該装置を有するベッドは、定置されたエンドユニット及びサイドユニットを有しており、別の交換テーブルは必要ない。
【００１６】
被駆動コンポーネントは、関連するドライブユニットの手段により単に鉛直方向に変位可能であり、水平または斜め方向には変位しないので、製造、組立、及び整備に費用を要するリンク機構を必要としない。
【００１７】
ここで、“結合”とは、前記被駆動コンポーネントと前記安定化手段とが前記マットレス支持体に直接的または間接的に結合することを意味する。また、被駆動コンポーネントは、対応するドライブユニットに直接的または間接的に結合しても良い。
【００１８】
各ドライブユニットは、電気、油圧、空気圧、又は手動で作動することができる。
【００１９】
ここで、安定化手段は、マットレス支持体に結合された場合において、マットレス支持体の片側に加えられる過剰な負荷により生じるトルクを吸収するための装置である。この安定化装置は、一つ又は複数の鉛直方向を向いたレール部分からなる群から選択される。この群は、例えば、入れ子式に伸縮するレール部分、鉛直方向を向いたリニアベアリング、及び少なくとも一つのドライブユニットと一体化されるか組み合わされた安定化手段からなる。
【００２０】
ある一つの態様では、リニアベアリングは、ベビーベッドのエンドユニットに装着されたレールの共通のトラックにスライド可能に係合する、鉛直方向に隔置された二つのランナーを含む。二つのランナーを使用することによって、乳児がマットレスの片側で立った際にリニアベアリングにかかるトルクを互いに打ち消す。  
【００２１】
ある一つの態様では、ランナーに結合された第１の取付板、例えば、Ｌ字形の板が、マットレス支持体にも結合されている。第１の取付板が、マットレス支持体が装着され結合されている単一のフレーム部材に結合されていることが好ましい。
【００２２】
第一の実施例において、被駆動コンポーネントは、ベビーベッドの二つのエンドユニットにそれぞれ装着された二つのシリンダの、鉛直方向を向いたピストンロッドであり、取付板がピストンロッドとフレーム部材に装着されている。
【００２３】
ある一つの態様では、アクチュエータは、二つのピストンロッドを同時に変位させるようになっている。
【００２４】
第２の実施例では、被駆動コンポーネントは、対応するシリンダに対して往復運動する鉛直方向を向いたピストンロッドであり、被駆動コンポーネントは、前記マットレス支持体の下側に鉛直方向の力を加えるようになっており、前記シリンダは、ベビーベッドのエンドユニットに装着され、二つの前記安定化手段の間に配置されており、マットレス支持体の下側から突出するアングル部材の鉛直方向を向いた脚が、対応する安定化手段に結合されるようになっている。
【００２５】
ある一つの態様では、カウンターウェイト手段、例えばスプリングが、マットレス支持体の下側に取り付けられ、別の安定化手段にも取り付けられている。
【００２６】
第３の実施例では、ドライブユニットは、ベビーベッドの中空にくり抜かれた脚柱内に装着され、脚柱の面に沿って鉛直方向を向いた溝が形成され、ドライブユニットを溝に挿入可能となっている。
【００２７】
ある一つの態様では、ドライブユニットは、ピストンハウジング、ピストン、及びクロスバーを含み、ピストンは、鉛直方向を向き、前記ピストンハウジングに対して往復運動をするようになっており、クロスバーは、水平方向に配置され、溝を通して前記ピストンから延在し、マットレス支持体に結合されるか、又はマットレス支持体を支持する関係となっている。アクチュエータは、固定ハンドル及び解除部材を含み、ハンドルは、変位の方向を制御するためのものであり、ピストンの最上方部分から延在しており、解除部材は、ピストンから延在し、ハンドルとクロスバーとの間に配置されており、前記解除部材は、ハンドルの方向へ引かれた際にピストンの鉛直方向の変位を可能にするようになっている。
【００２８】
ある一つの態様では、ドライブユニットは、電動モータ、モータハウジング、スクリュー部材、カラー部材、及びクロスバーを含み、スクリュー部材は、鉛直方向に配置されており、モータと螺合して鉛直方向に変位可能となっており、カラー部材は、スクリュー部材と螺合しており、クロスバーは、水平方向に配置され、溝を通して前記カラー部材から延在し、マットレス支持体に結合されている。
【００２９】
第４の実施例では、ドライブユニットは、入れ子式のピストンユニットであり、入れ子式のピストンユニットは、床面に配置される平坦なベースと、マットレス支持体の下側に結合されるか、又はマットレス支持体の下側を支持する関係となっている、上側が平坦な当接部材とを含む。このピストンユニットは、油圧、空気圧、又は電気により駆動される。
【００３０】
ある一つの態様では、鉛直方向を向いた第１の脚がベースに結合され、鉛直方向を向いた第２の脚が当接部材に結合され、前記第２の脚が前記第１の脚に溝係合によって結合されている。
【００３１】
また、本発明によれば、ベビーベッドのマットレス支持体の高さを無段階に調節する装置が提供される。この装置は、
ａ）  少なくとも一つのドライブユニットであって、ドライブユニットは、単に鉛直方向に変位可能な対応する被駆動コンポーネントに鉛直方向の力を加えるようになっており、前記被駆動コンポーネントは、マットレス支持体と結合されるか、又はマットレス支持体を支持する関係となっている、ドライブユニットと、
ｂ）  ベビーベッドのサイドユニット又はエンドユニット、及び前記マットレス支持体に結合された、少なくとも一つの安定化手段と、
ｃ）  前記少なくとも一つのドライブユニットに関連付けられ、前記マットレス支持体を床面から選択された高さに設定するための、少なくとも一つのアクチュエータとを含む。
【００３２】
一つの実施例では、この装置は、少なくとも一つのドライブユニットと少なくとも一つのアクチュエータとを含む。ドライブユニットは、単に鉛直方向に変位可能な対応する被駆動コンポーネントに鉛直方向の力を加えるようになっており、前記被駆動コンポーネントは、マットレス支持体と結合されるか、又はマットレス支持体を支持する関係となっている。アクチュエータは、前記少なくとも一つのドライブユニットに関連付けられ、前記マットレス支持体を床面から選択された高さに設定する。
【００３３】
他の実施例では、この装置は、少なくとも一つのドライブユニットの不注意な作動によりマットレス支持体が変位することを防止するロック装置をさらに含む。
【００３４】
ロック装置は、ドライブユニットアクチュエータを解除可能に係合する手段と、前記係合する手段と連携する係脱装置と、前記係脱装置を動作させる係脱アクチュエータとを含み、前記係脱装置の動作により、前記係合手段がドライブユニットアクチュエータから解除される。
【図面の簡単な説明】
【００３５】
【図１】本発明の一実施例である、乳児用マットレス支持体の高さを無段階で調節するドライブユニットを、クロスバーを最上方に位置させた状態で図示する斜視図。
【図２】図１のドライブユニットを、クロスバーが最下方に位置した状態で図示する斜視図。
【図３】図１の二つのドライブユニットを隣り合う脚柱に装着したベビーベッドを、サイドユニットの一つを取り外した状態で図示する斜視図。
【図４】図４のベビーベッドを、マットレス支持体を最上方位置にした状態で図示する斜視図。
【図５】図４のベビーベッドを、マットレス支持体を最下方位置にした状態で図示する斜視図。
【図６】図１のドライブユニットに関連して使用される油圧作動のピストンを図示する垂直断面図。
【図７】本発明の他の実施例におけるドライブユニットを図示する正面図。
【図８】本発明の他の実施例における乳児用マットレス支持体の高さを無段階で調節する装置を図示する斜視図。
【図９】図８に図示の装置の一部を、取付板がピストンロッドとリニアベアリングにそれぞれ結合された状態で図示する斜視図。
【図１０】鉛直方向に向けて配置された図９のリニアベアリングを図示する斜視図。
【図１１】図８の装置に関連して使用されるフレーム部材と取付板カバーとを図示する斜視図。
【図１２】図８の装置が装着されたベビーベッドのエンドユニットを、フレーム部材がマットレス支持体に結合された状態で図示する斜視図。
【図１３】対向して配置されたガススプリングのそれぞれのピストンロッドを同時に変位させるためのアクチュエータを図示する概略図。
【図１４】図１のフレーム部材の下側に装着された、図１のクロスバーを図示する斜視図。
【図１５】本発明の一実施例のマットレス支持体の安定化装置を含むベビーベッドを、マットレス支持体を最上方位置にした状態で図示する斜視図。
【図１６】図１５のベビーベッドを、マットレス支持体を最下方位置にした状態で図示する斜視図。
【図１７】本発明の他の実施例のドライブユニットが装着されたベビーベッドを、マットレス支持体を最下方位置にした状態で図示する側面図。
【図１８】図１７のドライブユニットを結合したベビーベッドを、マットレス支持体を最上方位置にした状態で示す側面図。
【図１９】三段のケースで覆われた図１７のドライブユニットを結合したベビーベッドを、マットレス支持体を中間位置にした状態で図示する側面図。
【図２０】ベビーベッドを、ロック装置を引っ込ませた状態で図示する斜視図。
【図２１】ベビーベッドを、ロック装置を引き出させた状態で図示する斜視図。
【図２２】図２０のベビーベッドを、ロック装置を上方へ回転した状態で図示する斜視図。
【図２３】図２０のベビーベッドを、ロック装置を上方に回転させ、マットレス支持体を上昇位置にした状態で図示する斜視図。
【図２４】溝付きユニットと、この溝付きユニットに係合し上方回転させた位置にあるアームとを図示する正面図。
【図２５】溝付きユニットと、この溝付きユニットに係合し引き出させた位置にあるアームとを図示する正面図。
【図２６】溝付きユニットと、この溝付きユニットに係合し引っ込ませた位置にあるアームとを図示する正面図。
【図２７】ある角度位置でアームが溝付きユニットに着座する様子を図示する、図２４の拡大図。
【図２８】溝付きユニットの一部とアームの一部を、アームをある角度位置で固定するための追加の手段とともに図示する背面図。
【図２９】溝付きユニットとこれに係合するアームとを、ある角度位置でアームが溝付きユニットに着座する状態において図示する拡大正面図。
【図３０】図２５の拡大図。
【図３１】ドライブユニットアクチュエータ用の回転可能に装着されたグリップを図示する斜視図。
【図３２】ドライブユニットアクチュエータの構造を図示する斜視図。
【図３３】ドライブユニットアクチュエータの構造内に形成された溝に挿入された係脱装置を図示する斜視図。
【図３４】ドライブユニットアクチュエータを図示する斜視図。
【図３５】ドライブユニットアクチュエータを図示する斜視図。
【図３６】係脱装置アクチュエータの構造を図示する斜視図。
【図３７】マットレス支持体の下側を、二つの溝付きユニットに結合された状態で図示する斜視図。
【図３８】ベビーベッドを、複数のカーテン部材とともに図示する斜視図。
【図３９】ベビーベッドを、乳児の重量に反作用するためにレール部分にスプリングを装着した状態で図示する斜視図。
【図４０】図３９の拡大図。
【図４１】他の実施例のドライブユニットを図示する斜視図。
【図４２】ベビーベッドを、他の実施例のロック装置と安定化装置とともに図示する斜視図。
【実施例】
【００３６】
本発明は、床面から所望の高さに設定できる、無段階に高さ調節可能な乳児用マットレス支持体である。マットレス支持体を調節するための装置は、簡単なドライブユニットを含む。ドライブユニットは、単に鉛直方向に変位可能な対応する被駆動コンポーネントを含み、被駆動コンポーネントはマットレス支持体を同じ方向に変位させる。対照的に、乳児用のマットレス支持体の高さを無段階で調節する先行技術の装置は、被駆動コンポーネントを含む相対的に複雑な機構を含む。その被駆動コンポーネントは、単に鉛直方向にだけ変位するものではない。なぜなら、被駆動コンポーネントに反応して、単に鉛直方向ではない方向にも変位可能なリンク手段を、その機構が含むからである。これにより、装置のコストが上昇するとともに、装置の複雑さが増す。
【００３７】
図１には、本発明の一実施例による、乳児用マットレス支持体の高さを無段階に調節するためのドライブユニットが、全体として参照番号８で図示されている。ドライブユニット８は、鉛直方向に配置されたピストンハウジング１６、鉛直方向に配置されたピストン１５、水平方向に配置されたクロスバー１８、固定ハンドル１２、および解除部材１４を含む。ピストン１５は、完全に上昇させた位置で図示されている。ピストン１５は、マットレス支持体を下降させる際は、ピストンハウジング１６内を下方に変位し、マットレス支持体を上昇させる際は、上方に変位するように構成されている。クロスバー１８が、ピストン１５から延在している。固定ハンドル１２が、ピストン１５の最上方部分から延在している。固定ハンドル１２は、水平方向に配置され、下方に位置するクロスバー１８に対して垂直となっている。解除部材１４は、ピストン１５から延在して水平方向に配置され、ハンドル１２とクロスバー１８との間に配置されている。この解除部材１４は、ピストン１５を変位させるためのものである。クロスバー１８は、片持ち梁方式でマットレス支持体を支持するように構成されている。また、クロスバー１８は、これに結合されるピストン１５と同様に、十分構造的に強い材料で作られており、マットレス支持体と、その上に載せられるマットレスおよび乳児とを安全に支持することができるようになっている。
【００３８】
図２は、ピストン１５が最も下降させた位置にある状態を図示している。図示の通り、解除部材１４をハンドル１２へ向けて引き上げると、ピストン１５は下降可能となる。
【００３９】
図３は、ベビーベッド６の斜視図であり、理解しやすくするためにサイドユニットの一つを除去して示されている。図３では、隣り合う脚柱２、３にそれぞれ装着された二つのドライブユニット８Ａ、８Ｂが示されている。ベビーベッド６は、互いに対向する二つの定置されたエンドユニット１０および互いに対向する二つの定置されたサイドユニット１１を含む。図示の通り、隣り合う脚柱２及び３は、中空にくり抜かれており、鉛直方向に向かう溝３６、例えば楕円溝が、脚柱２及び３の対向する面にそれぞれ形成されている。そのため、対応するピストンハウジング及びピストンがその中に挿入可能となっており、マットレス支持体の高さを調節する際、対応するハンドル１２及び解除部材１４が、それに沿って自由に変位可能となっている。ピストンハウジング１６は、対応する脚柱の内部に挿入されると、脚柱の内壁に接触する。溝３６の長さは、最上方位置と最下方位置との間のマットレス支持体の最大高低差に等しいか、または、それ以上となっている。クロスバー１８の長さは、マットレス支持体の幅と実質的に同じである。クロスバー１８は、ベビーベッド６の対応するエンドユニット１０の長さに沿って延在し、そのエンドユニットを構成する第２の脚柱に接触する前で終端している。ドライブユニット８Ａ及び８Ｂを脚柱２及び３にそれぞれ装着することにより、安全性を犠牲にすることなく高さ調節装置のコンパクト化が最大限に実現される。
【００４０】
図４は、最上方位置にあるマットレス支持体５を図示している。対向して配置された一対のクロスバー１８は、片持ち梁方式でマットレス支持体５を支持している。一方、マットレス支持体５は、マットレス７を支持している。クロスバー１８は、管状のものでも矩形断面のものでも良く、螺子２０（図１）やその他の適切な取付手段によりマットレス支持体５に装着される。別法として、クロスバー１８は、装着することなくマットレス支持体を支持するようにしても良い。また、１から４までのいずれかの数のクロスバー１８を使用してマットレス支持体５を支持しても良い。二つのクロスバー１８が使用される場合は、図示の通り、クロスバーは、マットレス支持体５の幅に沿って延在しても良いし、または別法として、その長さに沿って延在しても良い。同様に、クロスバーを鉛直方向に変位させるために、１から４までのいずれかの数のドライブユニットを使用しても良い。四つのドライブユニットと二つのクロスバーが使用される場合、各クロスバーは、二つの対向するピストンに結合される。
【００４１】
図５は、最下方位置にあるマットレス支持体５および二つのハンドル１２を図示している。ハンドルと解除部材とを適切に操作することにより、最上方位置と最下方位置との間でマットレス支持体５を任意の所望の高さに設定できる。したがって、本発明のドライブユニットを設けたベビーベッドを使用することにより、マットレス支持体の高さを迅速かつ簡単に調節できるので、別の交換用テーブルを使用する必要がなくなる。
【００４２】
図６は、ドライブユニット８の垂直断面図であり、油圧駆動のピストン１５の動作を示している。図示の通り、解除部材１４は、プランジャ部材２７を備える。プランジャ部材２７は、ピストン１５の内壁に密封係合し、ピストン１５に対して相対的に変位可能であり、ピストン１５の中空内部を可変容積室２２と２３とに仕切っている。垂直ステム２９が、プランジャ部材２７から水平の解除部材１４まで延在している。上部スプリング３４が、可変容積室２２内においてステム２９の周りに設けられ、下部スプリング３４が可変容積室２３内に設けられている。下部スプリング３４は、ピストンハウジング１６内において底面３７から延在するポスト３６の周りに設けられる。可変容積室２３と連通する開口２６がピストン１５の壁に形成されている。無負荷状態において開口２６を閉じるように、上部スプリング２４は付勢され、ピストン１５内のある位置へプランジャ部材２７を変位させている。
【００４３】
マットレス支持体の高さを調節するために、解除部材１４がハンドル１２へ向けて引き出されると、プランジャ部材２７が変位するので、上部スプリング２４が圧縮され、開口２６が露出する。次いで油圧流体が可変容積室２３に流入し、ハンドル１２に手の力を加えるとピストン１５の変位をアシストする。
【００４４】
図７は、電動ドライブユニット３８を図示する。ドライブユニット３８は、モータハウジング４４、スクリュー部材４０、カラー部材４２、及びクロスバー１８を含む。モータハウジング４４は、ベビーベッドの脚柱に挿入可能である。スクリュー部材４０は、鉛直方向に配置されており、電動モータに螺合して鉛直方向に変位可能である。カラー部材４２は、スクリュー部材４０を取り囲み、これと係合するが、回転はせずに鉛直方向に変位可能である。クロスバー１８は、単に鉛直方向に変位可能で、水平方向に配置されており、カラー部材４２に装着されてカラー部材４２の回転を防止する。マットレス支持体は、クロスバー１８に結合されると、無段階に高さ調節が可能となる。
【００４５】
なお、スクリュー部材４０、または、ロッドなどの鉛直方向を向く部材は、スプリング構造により鉛直方向に変位させても良い。
【００４６】
図４１には、別の電動ドライブユニットが図示されている。ドライブユニット２３８は、定置されたモータハウジンク２４４、スクリュー部材２４０、管状スリーブ部材２４６、突出部材２４８、及びプレート２４９を含む。スクリュー部材２４０は、鉛直方向に配置され、電動モータに螺合して鉛直方向に変位可能である。管状スリーブ部材２４６は、ベビーベッドの一部、例えば、エンドユニットに固定され、スクリュー部材２４０を取り囲み、鉛直方向の溝２４７を有している。突出部材２４８は、スクリュー部材２４０に螺合し、溝２４７を通って延在する。プレート２４９は、単に鉛直方向に変位可能であり、突出部材２４８に装着されて溝２４７に沿って鉛直方向に変位可能である。マットレス支持体は、プレート２４９に結合されると、無段階に高さ調節が可能である。
【００４７】
図８〜図１３は、本発明の別の実施例を図示する。ここでは、マットレス支持体が二つの空気圧駆動のピストンにより鉛直方向に変位可能である。
【００４８】
図８には、ベビーベッド５５に関連して、乳児用マットレス支持体の高さを無段階に調節する装置５０が図示されている。この装置５０は、シリンダ５６、ピストンロッド５８、ケーブル５９、リニアベアリング６０、及び水平フレーム部材６５を含む。シリンダ５６は、「ガススプリング」と称されることもある。ピストンロッド５８は、シリンダ５６の上方および内部を鉛直方向に往復する。ケーブル５９は、例えばボーデンワイヤ（Ｂｏｗｄｅｎ  ｗｉｒｅ）であるが、ピストンロッド５８を動かすためにピストンロッド５８に結合されている。リニアベアリング６０は、マットレス支持体が鉛直方向に変位させられるときに、マットレス支持体を安定化させる。水平フレーム部材６５には、リニアベアリング６０及びピストンロッド５８が結合されている。詳細は、後述する。ガススプリング５６は、シリンダ内に収容された圧縮ガス、およびガスを可変に圧縮するピストンにより力を加えて、ピストンロッド５８を鉛直方向に変位させる。ガススプリング５６とリニアベアリング６０のセットは、ベッド５５の各エンドユニットの中央部分６３に装着されており、フレーム部材６５の対応する側を鉛直方向に変位させる。なお、リニアベアリング６０は、ベッド５５のサイドユニットに装着しても、ベッドの他のいずれの適切な部分に装着しても良い。
【００４９】
図９は、二つのＬ字形取付板６１及び６２を図示し、それらはピストンロッド５８とリニアベアリング６０にそれぞれ結合されている。鉛直方向を向いた細長い部分６７は、ピストンロッド５８に結合され、その下端は、フレーム部材に接続された水平方向を向いた短い脚部分６９で終端している。シリンダ５６より上方の脚部分６９の最大高さは、マットレス支持体の最上方高さが設定されるように選択され、床面Ｆより上方の脚部分６９の最低高さによりマットレス支持体の最下方高さが設定される。取付板６２の鉛直部分７１は、リニアベアリング６０のランナーに結合されており、その水平部分７３は、同様にフレーム部材に結合され、鉛直部分７１の上端から延在している。
【００５０】
図１０に図示の通り、リニアベアリング６０は、鉛直方向を向いたレール７７、二つのランナー８１、８２、及び取付部材６１を含む。レール７７は、トラック７８のセットを各側に有し、ベビーベッドの中央部分６３に、取付手段６４（図９）により固定されている。取付手段６４は、レール７７に開けられた複数の開口へそれぞれ導入されている。二つのランナー８１、８２は、鉛直方向に隔置されており、共通のトラック７８のセットにスライド可能に係合されている。取付部材６１は、取付手段８４、例えば二つのボルトにより二つのランナーのそれぞれに結合されている。二つのランナーを使用することにより、乳児がマットレスの片側で立った際にリニアベアリングに生じるトルクを打ち消し合う。リニアベアリングの構造は、当業者に周知のものであるから、簡潔にするためにも詳述はしない。台湾のＡＢＢＡ  Ｌｉｎｅａｒ  Ｔｅｃｈ社製のＢＲＨ１５Ａモデルのランナーを使用してもよい。このランナーでは、鉛直方向に隔置されたランナー間の間隔は、１０〜１５ｃｍである。またレールの長さは１.２７ｍであり、幅は０．６ｍである。
【００５１】
図１１において、フレーム部材６５は、ピストンロッド６９とリニアベアリング６０にそれぞれ水平取付部分６９及び７３によって結合されている。これらの取付部分は、フレーム部材６５の上方で結合しても、下方で結合しても良い。図示の通り、対応する水平取付部分に結合されたブラケット７６が、所望により、フレーム部材６５に取り付けられても良い。リニアベアリングを使用する場合、それが単一の一体ユニットで形成されたときのみ、ベッドの片側に過剰な負荷がかけられることにより生じたトルクが、フレーム部材によって吸収されることが、出願人が行った試験において判明した。マットレス支持体を鉛直方向に変位させたときも、取付部分およびその他の本発明に係る装置を安全で美的に覆うカバー７２を設けても良い。カバー７２は、プラスチック、ゴム、又は他の適切な材料としても良く、同様の材料の別のカバー部材とともに使用しても良い。例えば、カバー７２は、ピストンロッド５８とリニアベアリング６０に恒久的に固定しても良く、他のカバー部材内に定期的に導入するようにしても良い。他のカバー部材は、カバー７２の内部に導入するように構成しても良い。別法として、他のカバー部材は、カバー７２と接触したときに縮められるようにしても良い。
【００５２】
図１２では、マットレス支持体８９が、ブラケット部材９１と取付手段９３とによってフレーム部材６５に結合されている。
【００５３】
図１３に図示の通り、共通のアクチュエータ９５により、それぞれシリンダ５６Ａ及び５６Ｂに対する二つのピストンロッド５８Ａ及び５８Ｂの鉛直方向の変位が制御される。その各々は、対向するベッドの各エンドユニット、又は、所望により対向する各サイドユニットに結合されている。アクチュエータ９５は、通常、ベッドの部屋の内側に面するサイドユニットに固定されており、ケーブル９７に結合されている。ケーブル９７は、分岐装置９８へ延びている。分岐装置９８は、例えば、ドイツのＢａｎｓｂａｃｈ  Ｅａｓｙｌｉｆｔ  ＧｍｂＨ社製のＥａｓｙｔｏｕｃｈ  Ｓｌｉｔｔｅｒ  ２０  ＳＰ１を使用しても良い。分岐装置９８は、ケーブル９７に伝えられた動きをケーブル５９Ａ及び５９Ｂに同時に伝える。ケーブル５９Ａ及び５９Ｂは、バルブ機構６６Ａ及び６６Ｂにそれぞれ結合され、ピストンロッド５８及び５８Ｂの変位をそれぞれ制御する。スプリングによって付勢されたボタン９９を、アクチュエータ９５に関連付け、ピストンロッドの動き、すなわち、上方への変位、下方への変位、又は定位置でのロックなどを制御しても良い。別法として、レバーや、当業者が周知の他の解除部材を、アクチュエータ９５に関連付けて、同時に二つのガススプリングを解除するようにしても良い。ドイツのＢａｎｓｂａｃｈ  Ｅａｓｙｌｉｆｔ  ＧｍｂＨ社製の４５ｃｍストロークのＢＩＢ−３−２８／１０モデルのガススプリングを使用しても良い。
【００５４】
鉛直方向に変位する際にマットレス支持体を安定化させるためのリニアベアリングは、図１〜図７に関連して上述した実施例のいずれに使用しても良い。図１４に図示の通り、クロスバー１８は、リニアベアリング６０及びフレーム部材６５の双方に結合される。
【００５５】
図１５及び図１６は、本発明の他の実施例を図示するものである。マットレス支持体１０５の下側から突出するアングル部材（ａｎｇｌｅｄ  ｅｌｅｍｅｎｔ）１０９の鉛直方向を向いた脚１０７が、鉛直方向を向いたレール部分１１１に固着されている。レール部分１１１は、Ｃ字形であり、そのリップ部付近に複数のボールベアリングが設けられており、これによりベースレール部分１１３に対して入れ子式に伸縮することができる。ベースレール部分１１３は、レール部分１１１と同様の形状であり、ベビーベッドのエンドユニット１１７に装着されている。ガススプリング５６は、ベビーベッドの各エンドユニット１１７に装着され、二つの入れ子式のレール部分１１１の間に位置している。二つの入れ子式のレール部分１１１には、対応する脚１０７がそれぞれ装着されている。ピストンロッド５８がマットレス支持体１０５の下側に結合され、マットレス支持体１０５が、ピストンロッド５８の動きに応じて鉛直方向に変位可能であり、図１５に図示の通り上昇位置へ変位したり、図１６に図示の通り下降位置へ変位したりする。
【００５６】
図３９及び図４０に図示の実施例では、３本のべースレール部分１１３Ａ〜１１３Ｃがベビーベッド２５０の各エンドユニット２５１に結合されている。これらのべースレール部分から、一つ又は複数の鉛直方向に配置されたレール部分１１１Ａ〜１１１Ｃが、それぞれ入れ子式に伸縮可能となっている。さらに、ガススプリング５６もベビーベッド２５０の各エンドユニット２５１に結合されており、このガススプリング５６のピストンロッド５８はマットレス支持体１０５の下側に結合されている。マットレス支持体１０５の下側から突出するアングル部材１０９の鉛直方向を向いた脚１０７は、ベースレール部分１１３Ａ〜１１３Ｃの鉛直方向を向いた対応するレール部分１１１に固定されている。スプリング２５５は、一端をマットレス支持体１０５の下側に装着され、他端をレール部分１１１Ｂに装着されており、乳児の重さに反作用することにより、ガススプリング５６によって必要とされる力を軽減している。スプリング２５５の一端２５６は、乳児の重さの増加に伴い、レール部分１１１Ｂの異なる位置に装着できる。所望により、交換可能なカウンターウェイトをスプリングの代わりに使用しても良い。
【００５７】
図１７〜図１９に、本発明の別の実施例を図示する。この実施例では、入れ子式のピストンユニット１２１によってマットレス支持体５を無段階に高さ調節可能である。ピストンユニット１２１は、油圧、空気圧、または電動で駆動しても良い。ピストンユニット１２１は、床面上に設置された平坦なベース１２４を有する。鉛直方向を向いた第１の脚１２３が、ベース１２４に結合される。鉛直方向を向いた第２の脚１２９に結合された平坦な当接部材１２７が、マットレス支持体５の下側に装着されている。第２の脚１２９は、第１の脚１２３に溝合わせにより結合されている。別法として、第２の脚１２９を、第１の脚１２３に固着させて、脚１２３及び１２９を同時に伸縮できるようにしても良い。一つのピストンユニット１２１をマットレス下側の中心において使用しても良く、または二つのピストンユニットをそれぞれ対応するサイドユニット１１に隣接させて使用しても良い。図１７は、最下方位置にあるマットレス支持体５を示し、図１８は、最上位置で示している。図１９は、ピストンユニット用の３段ケース１３１〜１３３を図示しており、最下方位置と最上方位置との間のいずれの位置においても脚１２３及び１２９を所定の位置に固定可能である。
【００５８】
図２０〜図３７は、ドライブユニットアクチュエータの解除部材が不注意に押圧された場合にマットレス支持体が変位するのを防止するロック装置１４０の一実施例を示す。通常、伸縮可能のピン２２１（図３３）、又は当業者に周知の他の解除可能な係合手段が、ドライブユニットアクチュエータをロックする。後述するように係脱装置が動作された時のみ、ピンが解除されてドライブユニットの動作が可能となる。
【００５９】
図２０に図示の通り、ロック装置１４０は、二つのグリップ１４４Ａ及び１４４Ｂの間に位置し、水平方向を向いているバー１４３を含む。グリップ１４４Ａは、ドライブユニットアクチュエータからピンを解除する役割を持つ。グリップ１４４Ｂは、ドライブユニットを動作させる役割を持つ。図では、マットレス支持体１５４が下方位置にあり、バー１４３がサイドユニットに対して引っ込められた位置にある。ドライブユニットアクチュエータからピンを解除するまでは、マットレス支持体１５４が鉛直方向に変位することが防止される。バー１４３は、好奇心のある乳児には容易に見えないので、ピン解除アクチュエータまたはドライブユニットアクチュエータが不意に動作することは、実質的に起こりえない。
【００６０】
図２１では、バー１４３が、サイドユニット１５１に対して引き出されて下方の位置にある。バー１４３は、矢印１４９で示される方向にグリップ１４４Ａ及び１４４Ｂを引くことにより引き出された位置になる。アーム１４７Ａ及び１４７Ｂは、グリップ１４４Ａ及び１４４Ｂにそれぞれ固定され、これらから内側方向へ延在する。アーム１４７Ａ及び１４７Ｂは、プラスチック製でも金属製でも良く、さらに、グリップ１４４Ａ及び１４４Ｂにそれぞれ一体的に固定されても良い。
【００６１】
図２２では、バー１４３が上方に回転した状態で図示されている。これにより、エンドユニット１５１の最下方位置へ腰を曲げてかがまなくても、ピン解除アクチュエータ及びドライブユニットアクチュエータの作動が簡単になっている。矢印１５３の方向へグリップ１４４Ａ及び１４４Ｂに力を加えることにより、アーム１４７Ａ及び１４７Ｂが、それぞれ各溝付きユニット１５６Ａ及び１５６Ｂに対して上方へ枢動させられると、バー１４３は上方へ枢動可能である。図２３に図示の通り、マットレス支持体１５４が上方に変位する間、バー１４３は上方へ回転した位置に保持される。所望により、バー１４３は下方へ回転した位置に固定しても良い。
【００６２】
図２４〜図３０に、溝付きユニット１５６の構成が例示されている。図示の通り、溝付きユニット１５６は、実質的に矩形であり、平坦な上端縁１６２、下端縁１７２、及び外側縁１５７を有する。外側縁１５７は、上端縁１６２及び下端縁１７２に実質的に垂直である。溝付きユニット１５６には、貫通孔すなわち可変形状の案内溝１５８が形成されている。案内溝１５６は、中央部分１５９、および内側部分１６３を含む。中央部分１５９は、上部縁１６０と上部縁１６０に平行な下部縁１６１とにより画成された細長い部分である。内側部分１６３は、溝付きユニットの向きに応じてベビーベッドのサイドユニット又はエンドユニットの方向から離れて位置している。内側部分１６３は、中央部分１５９の上部縁１６０と一致する上部縁１６５と、中央部分の下部縁１６１の上方にある下部縁１６６と、上部縁１６５から下部縁１６６まで延在する弧状終端縁１６７とを有する。案内溝１５８の外側部分１６８はＣ字形であり、中央部分の上部縁１６０に連なる上部縁１６９を有している。中央部分の下部縁１６１は突出部１６４で終端し、突出部１６４は外側部分１６８の空間を圧縮している。外側部分１６８の下部縁１７１は、突出部１６４に隣接して、急激に下方に延在する凹状縁１７３を有する。
【００６３】
アーム１４７の一端１５３には、案内溝１５８の縁と係合する円形の突起１７６及び１７７が設けられている。アーム１４７が、図２４に図示の通り、上方に回転した位置にあるときは、大きい方の突起１７６が、図２７に図示の通り、凹状縁１７３内に着座することができ、溝付きユニット１４７に対してアーム１４７を所与の角度に固定可能である。アーム端１５３の周辺に形成された凹状部分１５５は、図２８に図示の通り、溝付きユニット１５６の一面から突出する部材１７５と係合可能であり、所与の角度にアーム１４７を固定するための補足手段となる。
【００６４】
図２９に図示の通り、突起１７６は、突状部１６４と溝の外側部分１６８の上部縁１６９との双方に係合したときに、アーム１４７の角度を変更するためのアーム１４７用の軸の役割を果たす。アーム１４７が回転させられると、突起１７７が溝の外側部分１６８内でスライドする。図２５および図３０に図示の通り、アーム１４７が引き出された位置にあるとき、突起１７６は中央部分の上部縁１６０と係合する。内側方向の力１８１が加えられると、図２６に図示の通り、突起１７６は、内側部分１６３内に着座するまで中央部１５９内で変位する。一方、グリップ１４４は、溝ユニット１５６の外側縁１５７に接触する。
【００６５】
図３７に図示の通り、溝付きユニット１５６Ａ及び１５６Ｂの上端縁１６２（図２４）は、何らかの当業者に周知の手段で、図では下方位置にあるマットレス支持体１５３の下側に装着されている。溝付きユニットの外側縁１５７は、マットレス支持体１３５の外側端から外側方向に突出させても良い。
【００６６】
図３１に図示の通り、アーム１４７Ｂは、リング部材１４７によりバー１４３上に回転可能に装着されている。グリップ１４４Ｂは、その下にあるドライブユニットアクチュエータフレームに回転可能に装着されている。長手方向溝１８１が、バー１４３の周囲に形成され、ドライブユニットのロックピンを係脱させるためのケーブルが長手方向溝１８１に通されている。
【００６７】
図３２〜図３５に、ドライブユニットアクチュエータのフレーム１８５が例示されている。フレーム１８５は、平坦な上面２０１、底面２０３、外側端面２０７、及び内側端面２０８を有している。丸みのある側面２０４及び２０５が、面２０１と２０３との間においてそれぞれ反対方向に延在する。側面２０４及び２０５には、長手方向溝１８７及び２０８がそれぞれ形成されている。円形のエンドキャップ１９１が、外側端面２０７にスナップ嵌めされている。バー１４３の開口１４６と合わさる開口２０９が、内側端面２０８に隣接して上面２０１に形成されている。凹部１８９が、外側端面２０７に隣接して、側面２０４に形成されている。凹部１８９内には、ドライブユニットアクチュエータ、例えばボタンが装着されている。係脱装置に動きを伝えるケーブル１９７が、長手方向溝１８７内に配置されている。長手方向溝１８７は、フレーム１８５の周囲に設けられ、凹部１８９から延在している。別の凹部１９３が側面２０５に形成され、アクチュエータ１９０の背面側１９２が凹部１９３内に着座する。ドライブユニットに動きを伝えるケーブル２０９が、凹部１９３から長手方向溝２０８内に延在している。
【００６８】
ピン解除アクチュエータのフレーム１９５が、図３６に例示されている。ピン解除アクチュエータのフレーム１９５は、ドライブユニットアクチュエータのフレームと同様の構成であり、平坦な上面、底面、外側端面、内側端面、及び丸みのある側面を有している。凹部１９４がピンドライブアクチュエータのフレーム１９５の側面２０４に形成されている。グリップ１４４Ａ（図２１）のためのコネクタ２１３、例えば螺子が、凹部１８９内においてフレーム１９５に固定して装着されている。ケーブルガイド２１６が、凹部１８９に隣接してフレーム１９５の側面２０４に形成されている。コネクタ２１３に取り付けられたケーブル２１７が、ケーブルガイド２１６を通されて係脱ケーブル１９７と組み合わされている。したがって、フレーム１９５の周りに回転可能に装着されたグリップ１４４Ａを回転させると、係脱ケーブル１９７が、外端面２０７の方へ変位させられる。
【００６９】
図３３には、係脱装置が図示されている。係脱装置は、横方向に変位可能なストッパ１９５としても良い。ストッパ１９５の厚さは、溝１８７内の空間の垂直方向寸法と実質的に等しい。長手方向を向いた開口が、ストッパ１９５内に形成されている。係脱ケーブル１９７から延在する二次ケーブル２１９が、その開口を介してストッパ１９５を貫通し、ドライブユニットアクチュエータをロックするピン２２１（概略的に図示されている）に接続されている。グリップ１４４Ａ（図２１）を回転すると、ストッパ１９５がピン解除アクチュエータのフレーム１９５（図３６）に向かって横方向に変位し、ピン２２１がドライブユニットアクチュエータ組立体から解除されるため、ドライブユニットアクチュエータを作動することが可能となる。グリップ１４４Ｂの回転に引き続いてドライブユニットアクチュエータ１９０（図３４）を押すと、図３５に図示の通り、ケーブル２０９を介してドライブユニットに動きが伝えられるが、これは当業者に周知のことである。別法として、ドライブユニットアクチュエータは、回転グリップ１４４Ｂを必要とすることなく、ボタンを押すことにより作動させても良い。
【００７０】
図３８は、カーテン部材２６２を示している。カーテン部材２６２は、各レール部分またはベビーベッドに関連する他の装置を覆うために使用され、マットレス２６３上に置かれた乳児を更に防護するためのものである。水平方向に配置された複数の横材２６４は、例えば矩形形状であるが、ベビーベッドの各エンドユニット２６９の二つの対向するポスト２６７内に形成された鉛直トラック内にスライド係合可能である。ポスト２６７は十分に厚く、横材２６４と係合するトラックは、その内側部分に設けられている。一方、カーテン部材に覆われたレールは、その外側部分に配置されている。上側カーテン部分２６２Ａが第１の横材２６４の底面に固定され、下側カーテン部分２６２Ｂが、第１の横材２６４の直下にある第２の横材の上面に固定されている。マットレス支持体が下方位置に位置すると、隣接する横材２６４が離され、カーテン部材２６２が各レール部分を覆うことができる。マットレス支持体がより高い位置に位置すると、マットレス支持体に結合され鉛直方向を向いたプレート２６１は、最下方の横材２６４に接触して、これに固定されたカーテン部材２６２を押圧するようにする。
【００７１】
図４２にロック装置の他の実施例が図示されている。ベビーベッド２９３は、ドライブユニットアクチュエータ２９５から分離されたピン解除アクチュエータ２９０を含む。ピン解除アクチュエータ２９０及びドライブユニットアクチュエータ２９５は、枢動端２９６及び２９７をそれぞれ有し、これにより対応するアクチュエータの動作が開始される。この実施例では、ピン３１１（概略的に図示されている）は、通常、マットレス支持体３０９をベビーベッド２９３のエンドユニット２９１に係合させており、ドライブユニットの不注意な操作の結果、マットレス支持体が鉛直方向に上方変位することを防止している。ピン解除アクチュエータ２９０の枢動端２９６が回転すると、ピン３１１がエンドユニット２９１から係脱し、ドライブユニット２９５の作動が可能となる。
【００７２】
エンドユニット２９１は、一体のドライブユニットとレールとを有する。鉛直方向を向いたレール３０６及び３０７、並びに、レール３０６と３０７との間に位置するドライブユニット３０３は、Ｖ字形のブラケット３０１に装着されている。これにより、各レールが対応する脚に取り付けられ、ドライブユニットがブラケットの中心線に取り付けられている。レール３０６及び３０７は入れ子式に伸縮するようにしても良い。
【００７３】
本発明のいくつかの実施例を図面とともに説明したが、本発明の精神および特許請求の範囲を逸脱することなく、本発明を種々に修正し、変更して適用し、当業者が相当する範囲の多数の均等な構成または代替構成を使用して、本発明が実施可能であることは明らかである。
【図１】
0005444223.tif 000002
【図２】
0005444223.tif 000003
【図３】
0005444223.tif 000004
【図４】
0005444223.tif 000005
【図５】
0005444223.tif 000006
【図６】
0005444223.tif 000007
【図７】
0005444223.tif 000008
【図８】
0005444223.tif 000009
【図９】
0005444223.tif 000010
【図１０】
0005444223.tif 000011
【図１１】
0005444223.tif 000012
【図１２】
0005444223.tif 000013
【図１３】
0005444223.tif 000014
【図１４】
0005444223.tif 000015
【図１５】
0005444223.tif 000016
【図１６】
0005444223.tif 000017
【図１７】
0005444223.tif 000018
【図１８】
0005444223.tif 000019
【図１９】
0005444223.tif 000020
【図２０】
0005444223.tif 000021
【図２１】
0005444223.tif 000022
【図２２】
0005444223.tif 000023
【図２３】
0005444223.tif 000024
【図２４−３０】
0005444223.tif 000025
【図３１】
0005444223.tif 000026
【図３２】
0005444223.tif 000027
【図３３】
0005444223.tif 000028
【図３４】
0005444223.tif 000029
【図３５】
0005444223.tif 000030
【図３６】
0005444223.tif 000031
【図３７】
0005444223.tif 000032
【図３８】
0005444223.tif 000033
【図３９】
0005444223.tif 000034
【図４０】
0005444223.tif 000035
【図４１】
0005444223.tif 000036
【図４２】
0005444223.tif 000037